【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行う画像検査システムであって、
画像検査ジョブに設定された前記検査関連領域を保存するデータ格納部と、
前記データ格納部に格納された前記検査関連領域を新たな画像検査ジョブの検査関連領域として設定する設定部と、
を備える画像検査システム。
【請求項２】
前記設定部は、新たな画像検査ジョブの前記検査関連領域として設定する際に、前記検査関連領域を編集する、
請求項１に記載の画像検査システム。
【請求項３】
前記編集は、前記検査関連領域を、新たな画像検査ジョブにおける所定のページに適用させる、
請求項２に記載の画像検査システム。
【請求項４】
前記所定のページは、新たな画像検査ジョブにおける全ページである、
請求項３に記載の画像検査システム。
【請求項５】
前記所定のページは、新たな画像検査ジョブにおいて指定されたページである、
請求項３または４に記載の画像検査システム。
【請求項６】
新たな画像検査ジョブが用紙の両面の画像を検査する場合、前記所定のページは、両面のうち一方の面に対応するページである、
請求項３または５に記載の画像検査システム。
【請求項７】
前記設定部は、前記検査関連領域の位置を調整する、
請求項２〜６の何れかに記載の画像検査システム。
【請求項８】
前記位置の調整は、マウス操作により行われる、
請求項７に記載の画像検査システム。
【請求項９】
前記設定部は、前記検査関連領域を拡大または縮小する、
請求項２〜８の何れか１項に記載の画像検査システム。
【請求項１０】
前記設定部は、新たな検査ジョブが複数ページである場合は、ページ毎に前記検査関連領域を編集する、
請求項２〜９の何れか１項に記載の画像検査システム。
【請求項１１】
前記データ格納部に保存された前記検査関連領域を表示する、
請求項１〜１０の何れか１項に記載の画像検査システム。
【請求項１２】
前記画像検査システムは、更に、画像検査ジョブを行う際の比較対象となる基準画像を登録する登録部を有し、
設定された検査関連領域に基づいて、前記登録部に登録された基準画像と前記画像データとを比較する、
請求項１〜１１の何れか一項に記載の画像検査システム。
【請求項１３】
前記登録部は、用紙に形成された画像を読みとった画像データを基準画像として登録する、
請求項１２に記載の画像検査システム。
【請求項１４】
前記データ格納部は、前記検査関連領域と前記基準画像とを関連付けた検査プロファイルを保存する、
請求項１２または１３に記載の画像検査システム。
【請求項１５】
前記データ格納部は、前記検査プロファイルにファイル名を付けて保存する、
請求項１４に記載の画像検査システム。
【請求項１６】
前記新たな検査ジョブにおいて、基準画像を作成しなおす、
請求項１２〜１５の何れか１項に記載の画像検査システム。
【請求項１７】
前記検査関連領域を編集する際、基準画像を表示して編集する、
請求項１２〜１６の何れか１項に記載の画像検査システム。
【請求項１８】
前記データ格納部は、複数の画像検査ジョブの前記検査関連領域を保存し、
前記データ格納部に保存された複数の前記検査関連領域のうちユーザーに選択された前記検査関連領域を、新たな画像検査ジョブの検査関連領域として設定する、
請求項１〜１７の何れか１項に記載の画像検査システム。
【請求項１９】
検査関連領域が選択される際、前記データ格納部に保存された複数の前記検査関連領域を一覧表示する、
請求項１８に記載の画像検査システム。
【請求項２０】
前記一覧表示で表示された複数の検査関連領域の何れかが選択された場合、選択された検査関連領域を、新たな検査ジョブにおける検査関連領域として編集する画面を表示する、
請求項１９に記載の画像検査システム。
【請求項２１】
画像検査ジョブが終了した後、前記データ格納部に格納された前記検査関連領域を削除せずに保存する、
請求項１〜２０の何れか１項に記載の画像検査システム。
【請求項２２】
前記画像検査システムは、更に、用紙に形成された画像を読みとって画像データを出力する画像読取部を有する、
請求項１〜２１の何れか１項に記載の画像検査システム。
【請求項２３】
前記画像検査システムは、更に、
用紙に画像を形成する画像形成部と、
前記画像形成部で形成された用紙を搬送する搬送部と、を有し、
前記画像読取部は、前記搬送部により搬送される用紙上の画像を読みとる、
請求項２２に記載の画像検査システム。
【請求項２４】
前記画像検査システムは、更に、用紙を排紙する第１排紙トレイと第２排紙トレイとを有し、
画像検査の結果が不良はないと判断された用紙は前記第１排紙トレイへ排紙する一方、不良があると判断された用紙は前記第２排紙トレイへ排紙する、
請求項１〜２３の何れか１項に記載の画像検査システム。
【請求項２５】
検査領域と検査除外領域とが重複する部分では、検査関連領域として、検査対象外領域を優先して設定する、
請求項１〜２４の何れか１項に記載の画像検査システム。
【請求項２６】
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行い、
画像検査ジョブに設定された前記検査関連領域をデータ格納部に保存し、
前記データ格納部に格納された前記検査関連領域を新たな画像検査ジョブの検査関連領域として設定する、
画像検査設定方法。
【請求項２７】
コンピューターに、
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行う処理と、
画像検査ジョブに設定された前記検査関連領域をデータ格納部に保存する処理と、
前記データ格納部に格納された前記検査関連領域を新たな画像検査ジョブの検査関連領域として設定する処理と、
を実行させるための画像検査設定プログラム。
【手続補正２】
【補正対象書類名】明細書
【補正対象項目名】００１２
【補正方法】変更
【補正の内容】
【００１２】
本発明に係る画像検査システムは、
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行う画像検査システムであって、
画像検査ジョブに設定された前記検査関連領域を保存するデータ格納部と、
前記データ格納部に格納された前記検査関連領域を新たな画像検査ジョブの検査関連領域として設定する設定部と、
を備える。
【手続補正３】
【補正対象書類名】明細書
【補正対象項目名】００１３
【補正方法】変更
【補正の内容】
【００１３】
本発明に係る画像検査設定方法は、
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行い、
画像検査ジョブに設定された前記検査関連領域をデータ格納部に保存し、
前記データ格納部に格納された前記検査関連領域を新たな画像検査ジョブの検査関連領域として設定する。
【手続補正４】
【補正対象書類名】明細書
【補正対象項目名】００１４
【補正方法】変更
【補正の内容】
【００１４】
本発明に係る画像検査設定プログラムは、
コンピューターに、
用紙に形成された画像を読みとった画像データに対して、画像検査の対象となる検査対象領域と前記画像検査の対象外となる検査除外領域とのうち少なくとも１つが設定された検査関連領域に基づいて画像検査ジョブを行う処理と、
画像検査ジョブに設定された前記検査関連領域をデータ格納部に保存する処理と、
前記データ格納部に格納された前記検査関連領域を新たな画像検査ジョブの検査関連領域として設定する処理と、
を実行させる。